(57)【特許請求の範囲】
【請求項１】
端末装置に通信回線を介して接続され、媒体の画像を読み取る読取部を備えた画像読取装置であって、
前記端末装置から前記読取部が前記媒体の画像を読み取る際の読取条件を受信し、前記受信した読取条件に基づき、前記媒体の画像の読み取りを前記読取部に実行させる読取制御部と、
ユーザからの操作入力を受け付ける操作部とを備え、
前記読取制御部は、前記操作部からの操作入力に基づいて、前記受信した読取条件を変更し、当該変更された変更読取条件に基づき、前記媒体の画像の読み取りを前記読取部に実行させる
ことを特徴とする画像読取装置。
【請求項２】
前記読取制御部は、
前記読取条件に付された読取設定名称の一覧を前記端末装置から受信し、前記読取設定名称の一覧の中から、前記操作部を介して前記ユーザにより選択された前記読取設定名称に対応する対応読取条件を、前記端末装置から取得して、当該取得した対応読取条件を前記操作入力に基づいて変更し、
前記変更読取条件は、前記変更された対応読取条件である
ことを特徴とする請求項１に記載の画像読取装置。
【請求項３】
前記読取制御部は、
前記操作部を介して前記変更読取条件を受け付けた場合に、前記変更読取条件を前記端末装置に送信すること
を特徴とする請求項１又は請求項２に記載の画像読取装置。
【請求項４】
画像データの読取条件が予め記憶された端末装置と、媒体の画像を読み取る読取部を備えた画像読取装置とが通信回線を介して接続される画像読取システムであって、
前記端末装置は、
前記読取条件を前記画像読取装置に送信する設定管理部を備え、
前記画像読取装置は、
前記端末装置から前記読取条件を受信し、前記受信した読取条件に基づき、前記媒体の画像の読み取りを前記読取部に実行させる読取制御部と、
ユーザからの操作入力を受け付ける操作部とを備え、
前記読取制御部は、前記操作部からの操作入力に基づいて、前記受信した読取条件を変更し、当該変更された変更読取条件に基づき、前記媒体の画像の読み取りを前記読取部に実行させる
ことを特徴とする画像読取システム。
【請求項５】
前記端末装置に記憶される前記読取条件には、前記読取条件ごとに読取設定名称が付されて記憶されており、
前記端末装置の前記設定管理部は、
前記読取条件ごとに付された前記読取設定名称の一覧を前記画像読取装置に送信し、
前記画像読取装置の読取制御部は、
前記読取設定名称の一覧を前記端末装置から受信し、前記読取設定名称の一覧の中から、前記操作部を介して前記ユーザにより選択された前記読取設定名称に対応する対応読取条件を、前記端末装置から取得して、当該取得した対応読取条件を前記操作入力に基づいて変更し、
前記変更読取条件は、前記変更された対応読取条件である
ことを特徴とする請求項４に記載の画像読取システム。
【請求項６】
前記画像読取装置の前記読取制御部は、
前記操作部を介して前記変更読取条件を受け付けた場合に、前記変更読取条件を前記端末装置に送信し、
前記端末装置の設定管理部は、
前記画像読取装置から受信した前記変更読取条件を記憶部に記憶すること
を特徴とする請求項４又は請求項５に記載の画像読取システム。
【発明の詳細な説明】
【技術分野】
【０００１】
本発明は、画像読取装置および画像読取システムに関するものである。
【背景技術】
【０００２】
端末装置（ホストコンピュータ）と接続して使用される画像読取装置では、端末装置と通信して、画像読取装置が原稿等の画像読取を行い、取得した画像データを端末装置へ送信する。画像データを受信した端末装置は、所定の画像処理を施して、画像ファイルを作成し所定のフォルダに保存する（例えば、特許文献１参照）。
【先行技術文献】
【特許文献】
【０００３】
【特許文献１】特開２００４−１１２５１９号公報
【発明の概要】
【発明が解決しようとする課題】
【０００４】
前記した端末装置と画像読取装置とから構成される従来の画像読取システムにおいて、ユーザが画像読取を行う場合の動作は、まず、画像読取装置に原稿、図面、写真等の媒体を載置した後、端末装置側に移動し、端末装置側で、画像読取装置が読み取る画像データの読取条件等の設定および読取指示の操作を行う。そして、その端末装置からの読取指示に従って画像読取装置により原稿等の画像の読取りが行われ、読み取られた画像の画像データが端末装置へ送られ画像処理されて保存されると、ユーザは、再び画像読取装置へ戻り、載置した原稿等を取り除く必要があった。そのため、ユーザは、画像読取装置と端末装置との間を往復する必要があり、また、原稿等を一時画像読取装置に置いてその場を離れるため、重要な書類を扱う場合には注意が必要であった。
【０００５】
また、画像読取システムの他の例として、画像読取装置側に、画像を読み取るための読取設定が行える機能を備えさせ、画像読取装置においてユーザにより入力された読取設定に基づいて原稿等の読取りを実行し、読み取られた画像の画像データを端末装置へ送信して保存させる技術がある。この画像読取システムにおいては、ユーザが、原稿サイズや、カラーモード（カラー、モノクロ等）、解像度等の各種設定を入力してから、読取指示を出す操作が必要であり、特に複数のユーザが画像読取装置を共有するときに、ユーザ毎に各種設定を入力し直す場合があり煩わしいものであった。
【０００６】
このような背景に鑑みて本発明がなされたのであり、本発明は、画像読取装置に画像を読み取る媒体を載置したまま端末装置に移動する必要をなくし、読取設定を簡易に選択可能とする画像読取装置および画像読取システムを提供することを目的とする。
【課題を解決するための手段】
【０００７】
前記目的を達成するため、本発明に係る画像読取装置および画像読取システムは、端末装置に設定された各読取設定の読取設定名称一覧を、画像読取装置が受信する。そして、画像読取装置は、読取設定名称一覧の中からユーザにより選択された読取設定名称に対応する読取条件を、端末装置に保存された読取設定から取得して、操作部からの操作入力に基づいて受信した読取条件を変更し、当該変更された変更読取条件に基づき、媒体画像の読み取りを実行することを特徴とする。次に、画像読取装置は、読み取った画像データを端末装置へ送信し、端末装置は、ユーザにより選択された読取設定名称に対応する画像処理方法で画像データの画像処理を行い、記憶部に保存する。
【発明の効果】
【０００８】
本発明によれば、画像読取装置に読み取る媒体を載置したまま端末装置に移動する必要のない画像読取装置および画像読取システムを提供することができる。
【図面の簡単な説明】
【０００９】
【図１】本実施形態に係る画像読取システムの構成例を示す図である。
【図２】本実施形態に係る画像読取装置の一例を示す図である。
【図３】本実施形態に係る画像読取システムの構成例を示す図である。
【図４】本実施形態に係る画像読取装置および端末装置の構成例を示す機能ブロック図である。
【図５】本実施形態に係る端末装置における読取設定登録処理の流れを示すフローチャートである。
【図６】本実施形態に係る読取設定の選択画面の一例を示す図である。
【図７】本実施形態に係る読取設定名称一覧の一例を示す図である。
【図８】本実施形態に係る読取設定画面の一例を示す図である。
【図９】本実施形態に係る読取設定名称の入力画面の一例を示す図である。
【図１０】本実施形態に係る画像読取システムにおける画像読取装置の処理の流れを示すフローチャートである。
【図１１】本実施形態に係る画像読取装置の表示部に、端末装置の一覧を表示させた例を示す図である。
【図１２】本実施形態に係る画像読取装置の表示部に、読取設定名称一覧を表示させた例を示す図である。
【図１３】本実施形態に係る画像読取装置の表示部に、読取条件を表示させた例を示す図である。
【図１４】本実施形態に係る画像読取システムにおける端末装置の処理の流れを示すフローチャートである。
【図１５】本実施形態の変形例に係る画像読取装置の処理の流れを示すフローチャートである。
【図１６】本実施形態の変形例に係る画像読取装置の表示部に、読取条件を端末装置に保存させるための保存釦を備えた読取条件設定画面を表示させた例を示す図である。
【図１７】本実施形態の変形例に係る端末装置の処理の流れを示すフローチャートである。
【発明を実施するための形態】
【００１０】
次に、本発明を実施するための形態（「実施形態」という）について、適宜図面を参照しながら詳細に説明する。
【００１１】
図１は、本実施形態に係る画像読取システム１００の構成例を示す図である。図１に示すように、本実施形態に係る画像読取システム１００は、画像読取装置１と、端末装置２とが、ＵＳＢケーブル等のデータ伝送路やＬＡＮ（Local Area Network）等の通信ネットワークのような、通信回線３で接続され構成される。
【００１２】
画像読取装置（複合機）１は、例えば、図２に示すようなＭＦＰ（Multifunction Peripheral：多機能周辺装置）やスキャナ等の装置であり、少なくとも、原稿等を載置し、画像を読み取る読取部１６と、読取設定を入力する操作部１３と、読取設定を表示する表示部１４と、装置全体の制御を司る制御部（ＣＰＵ）１０と、外部装置（端末装置２）との情報の送受信を行う通信部１５とを備えている（具体的な構成は、後記する図４参照）。なお、読み取った画像を印刷用紙に形成する印刷部（画像形成部）１７を備えていてもよい。また、端末装置２は、コンピュータ装置であり、画像読取装置１が出力する画像データの処理を制御する読取アプリケーションソフト２００（図１および後記する図４参照）が組み込まれている。
【００１３】
なお、本実施形態に係る画像読取システム１００は、１つの画像読取装置１に対して、複数の端末装置２が接続されていてもよい。また、図３に示すように、複数の画像読取装置１（１Ａ，１Ｂ，１Ｃ）に対して、複数の端末装置２（２Ａ，２Ｂ，２Ｃ）が接続されていてもよい。ここで、各画像読取装置１（１Ａ，１Ｂ，１Ｃ）と複数の端末装置２（２Ａ，２Ｂ，２Ｃ）とは、ＬＡＮ等の通信回線３を介して通信可能であるものとする。
【００１４】
次に、本実施形態に係る画像読取システム１００を構成する、画像読取装置１と端末装置２の具体的な構成について説明する。
図４は、本実施形態に係る画像読取装置１および端末装置２の構成例を示す機能ブロック図である。
【００１５】
（画像読取装置）
画像読取装置１は、載置された原稿等の媒体を画像データとして読み込む装置であり、ＣＰＵ（Central Processing Unit）１０、メモリ部１１、記憶部１２、操作部１３、表示部１４、通信部１５、および読取部１６を含んで構成される。
【００１６】
ＣＰＵ（制御部）１０は、画像データの読取りに関する制御を司る読取制御部１０１と、読み取った画像をデジタル化する変換部１０２と、通信部１５を介して外部装置（端末装置２）への情報の送信の制御を行う送信制御部１０３と、通信部１５を介して外部装置（端末装置２）からの情報の受信の制御を行う受信制御部１０４とを含んで構成される。このＣＰＵ１０が備える、読取制御部１０１、変換部１０２、送信制御部１０３、および受信制御部１０４の各機能は、画像読取装置１の記憶部１２に記憶されたプログラムが、メモリ部１１上に展開することで実現される。
【００１７】
ここで、画像読取装置１の読取制御部１０１が行う処理について具体的に説明する。
読取制御部１０１は、自己の画像読取装置１に接続されている端末装置２、または、画像読取装置１が読み取った画像の保存対象として予め登録されている端末装置２の一覧を表示部１４に表示させ、ユーザに画像データを保存したい端末装置２を選択させる。そして、読取制御部１０１は、選択された端末装置２に対して、読取設定取得要求を送信し、送信した端末装置２に設定された読取設定２２０に関する読取設定名称２２１の一覧（読取設定名称一覧）を端末装置２から取得する。次に、読取制御部１０１は、ユーザにより所望の読取設定名称２２１が選択されると、その読取設定名称２２１に対応する読取条件（対応読取条件）２２２の取得要求である読取条件取得要求を、端末装置２に送信する。続いて、読取制御部１０１は、端末装置２から読取条件２２２を受信し、その読取条件に従った設定で、原稿等を読み取る制御を行う。また、読取制御部１０１は、読取部１６が読み取った画像データを変換部１０２へ渡し、変換部１０２によりデジタル化された画像データを送信制御部１０３を介して端末装置２に送信させる制御を行う。
【００１８】
次に、メモリ部１１は、例えばＲＡＭ（Random Access Memory）等の揮発性の記憶手段から構成され、ＣＰＵ１０の処理に必要な情報を一時的に記憶する。また、記憶部１２は、例えば、ハードディスク等の不揮発性の記憶手段から構成される。操作部１３は、操作釦やタッチパネル等の入力手段から構成される。表示部１４は、画像読取装置１の操作内容や、画像読込の設定内容を表示する表示手段であり、液晶ディスプレイ等から構成される。通信部１５は、外部装置との間で情報の送受信を行う通信デバイスから構成される。読取部１６は、載置台に載置された原稿等を走査して画像を読み取る読取手段から構成される。
【００１９】
（端末装置）
端末装置２は、画像読取装置１が読み取る画像についての読取設定を行い、また、画像読取装置１が読み取った画像データを保存するコンピュータ装置であり、ＣＰＵ（端末制御部）２０、メモリ部２１、記憶部２２、端末操作部２３、端末表示部２４、および端末通信部２５を含んで構成される。
【００２０】
ここで、メモリ部２１、記憶部２２、および端末通信部２５は、画像読取装置１のメモリ部１１、記憶部１２、および通信部１５と同様の機能を備えるため説明を省略する。また、端末操作部２３は、マウスやキーボード等の入力手段からなる。端末表示部２４は、画像読取装置１から取得した画像データの画像を表示する表示手段であり、液晶ディスプレイ等から構成される。
【００２１】
ＣＰＵ（端末制御部）２０は、端末装置２の制御を行うための基本ソフトとしてのＯＳ（Operating System）２０１と、画像読取装置１が読み取る画像の画像データの処理を制御する読取アプリケーションソフト２００と、送信制御部２０３と、受信制御部２０４とを含んで構成される。送信制御部２０３および受信制御部２０４は、画像読取装置１の送信制御部１０３および受信制御部１０４と同様の機能を備えるため、説明は省略する。また、読取アプリケーションソフト２００、送信制御部２０３、および受信制御部２０４は、記憶部２２に記憶されたプログラムがＯＳ２０１を介してメモリ部２１上に展開することで実現される。
【００２２】
読取アプリケーションソフト２００は、設定管理部２１０と画像処理部２３０とを含んで構成される。設定管理部２１０は、複数の読取設定２２０（２２０ａ，２２０ｂ，２２０ｃ）を管理する。この読取設定２２０は、読取設定名称２２１、読取条件２２２、および画像処理方法２２３が一組として設定されるものである。なお、読取条件２２２と画像処理方法２２３において設定される具体的な設定項目は、後記する図８において説明する。また、設定管理部２１０は、この読取設定２２０の登録や更新の制御を行い、画像読取装置１からの読取設定取得要求（後記する図１０参照）や、読取条件取得要求（図１０参照）等を受信して、要求のあった読取設定２２０に関する情報を送信する。また、画像処理部２３０は、画像読取装置１から取得した画像データを、設定管理部２１０に記憶された画像処理方法２２３に基づき画像処理を行い、記憶部２２に記憶させる。
【００２３】
次に、本実施形態に係る端末装置２における読取設定登録処理について図４を参照しつつ、図５を用いて詳細に説明する。この読取設定登録処理は、画像読取装置１において原稿等の画像読取を行う前に、端末装置２側において事前に行っておく処理である。
【００２４】
図５は、本実施形態に係る端末装置２における読取設定登録処理の流れを示すフローチャートである。
【００２５】
まず、ユーザにより端末装置２の読取アプリケーションソフト２００が起動され、読取設定モードが選択される（ステップＳ１０１）。
【００２６】
次に、読取アプリケーションソフト２００の設定管理部２１０は、読取設定を「新規に設定」するか、「既存の設定を編集」するかの選択画面を端末表示部２４に表示させ、ユーザに選択させる（ステップＳ１０２）。図６に、読取設定の選択画面の一例を示す。ここで、「新規に設定」が選択されると、設定管理部２１０は、端末表示部２４に読取設定画面（後記する図８参照）を表示させる（ステップＳ１０３）。一方、「既存の設定を編集」が選択されると、処理は、次のステップＳ１０４に進む。
【００２７】
ステップＳ１０４において、設定管理部２１０は、自身が管理する各読取設定２２０（２２０ａ，２２０ｂ，２２０ｃ）の読取設定名称２２１（２２１ａ，２２１ｂ，２２１ｃ）を取得して読取設定名称一覧を生成し、端末表示部２４に表示させる。例えば、図７に示すように、端末装置２に設定された読取設定２２０の読取設定名称２２１の一覧が表示される。そして、ユーザにより、編集したい読取設定名称２２１が読取設定名称一覧の中から選択される（ステップＳ１０５）。
【００２８】
続いて、設定管理部２１０は、ステップＳ１０５で選択された読取設定名称２２１に対応する設定内容（読取条件２２２および画像処理方法２２３）を読み出し、読み出した設定内容を読取設定画面として、端末表示部２４に表示させる（ステップＳ１０６）。
【００２９】
図８は、本実施形態に係る読取設定画面の一例を示す図である。本実施形態に係る読取設定画面は、図８に示すように、読取条件２２２および画像処理方法２２３の各設定項目が表示されるものである。
【００３０】
ここで、読取条件２２２は、例えば、読取方法（Scan Method）や、原稿サイズ（Paper Size）、カラーモード（Color Mode）、解像度（Resolution）等の設定項目で示される情報である。読取方法とは、例えば、フラットベッド読取、ＡＤＦ（Auto Document Feeder）読取、原稿両面読取等である。原稿サイズ（Paper Size）とは、例えば、Ａ４サイズ、Letterサイズ、自動決定サイズ、自動設定サイズ（ユーザが任意の縦、横幅を入力）等である。カラーモード（Color Mode）とは、例えば、カラー、モノクロ、グレースケール、ハーフトーン等である。解像度とは、例えば、１００ｄｐｉ、３００ｄｐｉ等で設定される。
【００３１】
また、画像処理方法２２３は、例えば、出力の拡大縮小率（Output Scale）や、ＪＰＥＧ、ＧＩＦＦ、ＰＤＦ等の保存する画像データのフォーマット（Save File Format）、画像の外枠部分の消去する幅を示す枠消去サイズ（Edge Erase）、消去する中央のラインの幅を示す中央消去サイズ（Center Erase）、画像の輪郭などを強調するシャープネス（Sharpness）、背景消去（Backimage Remove）、フォントスムーシング（Font Smoothing）等がある。また、詳細設定（More Detail）釦を押下することにより、例えば、明るさやコントラスト等のさらに詳細な画像処理方法２２３の項目を設定することも可能である。
【００３２】
図５に戻り、ステップＳ１０３およびステップＳ１０６で表示された読取設定画面（図８参照）に対して、ユーザによる端末操作部２３からの操作により、所望する読取条件２２２および画像処理方法２２３が入力される（ステップＳ１０７）。なお、ステップＳ１０２において、「既存の設定を選択」した場合は、ユーザにより変更する必要のある項目が選択され、その選択された項目が変更されて入力される。
【００３３】
また、画像処理方法２２３の設定において、画像処理した画像データを記憶部２２に記憶させる保存フォルダがユーザにより指定される（不図示）。画像処理方法２２３の設定項目である、ＪＰＥＧ等の画像データの保存フォーマット（Save File Format）と、この保存フォルダの指定が、保存条件として、読取設定２２０に登録される。なお、この保存条件は、読取条件２２２に含めて設定するようにしてもよい。
【００３４】
続いて、設定管理部２１０は、当該設定内容（読取条件２２２および画像処理方法２２３）の読取設定名称２２１の入力をユーザに促す画面を端末表示部２４に表示し、ユーザに入力させる（ステップＳ１０８）。図９に、読取設定名称２２１の入力画面の一例を示す。なお、「既存の設定を編集」を選択した場合は、当該読取設定２２０の読取設定名称２２１を表示し、ユーザが読取設定名称２２１を変更したい場合には、ユーザにより新たな名称が入力される。
【００３５】
そして、設定管理部２１０は、入力された、読取設定名称２２１、読取条件２２２および画像処理方法２２３を１組として設定管理部２１０に保存して（ステップＳ１０９）、読取設定登録処理を終える。
【００３６】
次に、本実施形態の画像読取システム１００による画像読取処理が行われる場合の、画像読取装置１および端末装置２の動作を説明する。
【００３７】
図１０は、本実施形態に係る画像読取システム１００における画像読取装置１の処理の流れを示すフローチャートである。
【００３８】
まず、画像読取装置１において、原稿等を読み取りその読み取った画像を端末装置２に保存するモードが、ユーザにより選択される（ステップＳ２０１）。
【００３９】
次に、画像読取装置１の読取制御部１０１は、画像読取装置１に接続されている端末装置２、または、画像読取装置１が読み取った画像の保存対象として予め登録されている端末装置２の一覧を表示部１４に表示させる（ステップＳ２０２）。
【００４０】
図１１は、本実施形態に係る画像読取装置１の表示部１４に、端末装置２の一覧を表示させた例を示す図である。図１１に示す例においては、画像読取装置１に複数の端末装置２（２Ａ，２Ｂ，２Ｃ，…）が接続されている場合に、その複数の端末装置２（２Ａ，２Ｂ，２Ｃ，…）を識別する名称（例えば、「aaaaaaaa」）が示されている。
【００４１】
図１０に戻り、ステップＳ２０３において、操作部１３を介して、ユーザにより、画像データを保存したい端末装置２が選択される。次に、読取制御部１０１は、選択された端末装置２に対して、その端末装置２に設定される読取設定２２０の読取設定名称２２１の一覧を要求する読取設定取得要求を、送信制御部１０３を介して送信する（ステップＳ２０４）。そして、読取設定取得要求を送信した端末装置２から、読取設定名称一覧が送信されるのを待つ。
【００４２】
続いて、読取制御部１０１は、読取設定取得要求を送信した端末装置２から、読取設定名称一覧を受信したか否かを判定する（ステップＳ２０５）。ここで、読取設定名称一覧を受信できなかった場合には（ステップＳ２０５→Ｎｏ）、ステップＳ２１４へ進み、表示部１４にエラーを表示して、処理を終了する。
【００４３】
一方、読取設定名称一覧を受信した場合には（ステップＳ２０５→Ｙｅｓ）、読取制御部１０１は、表示部１４に受信した読取設定名称一覧を表示させる（ステップＳ２０６）。
【００４４】
図１２は、本実施形態に係る画像読取装置１の表示部１４に、読取設定名称一覧を表示させた例を示す図である。図１２に示すように、ステップＳ２０３で選択された端末装置２（例えば、端末装置「aaaaaaaa」）に設定された読取設定２２０の読取設定名称２２１の一覧が表示される。読取設定名称２２１は、例えば、「通常カラー」、「通常モノクロ」等として、ユーザにより登録されていることを示している。
【００４５】
図１０に戻り、表示された読取設定名称一覧の中から、ユーザにより所望の読取設定名称２２１が、操作部１３を介して選択されると（ステップＳ２０７）、読取制御部１０１は、選択された読取設定名称２２１に対応する読取条件（対応読取条件）２２２の取得要求（以下、「読取条件取得要求」という）を、ステップＳ２０３で選択された端末装置２に送信する（ステップＳ２０８）。そして、読取条件取得要求を送信した端末装置２から、読取条件２２２が返信されるのを待つ。
【００４６】
続いて、読取制御部１０１は、読取条件取得要求を送信した端末装置２から、読取条件２２２を受信したか否かを判定する（ステップＳ２０９）。ここで、読取条件２２２を受信できなかった場合には（ステップＳ２０９→Ｎｏ）、ステップＳ２１４へ進み、表示部１４にエラーを表示させ、処理を終了する。
【００４７】
一方、読取条件２２２を受信した場合には（ステップＳ２０９→Ｙｅｓ）、読取制御部１０１は、受信した読取条件２２２を図１３に例示するような画面で表示部１４に表示させ（ステップＳ２１０）、ユーザに読取開始指示を促す。
【００４８】
図１３は、本実施形態に係る画像読取装置１の表示部１４に、読取条件２２２を表示させた例を示す図である。ステップＳ２０７において、読取設定名称２２１として「通常カラー」が選択された場合の読取条件２２２の例を図１３は示している。
【００４９】
図１０に戻り、ステップＳ２１１において、ユーザにより、原稿等が画像読取装置１の読取部１６に載置され、操作部１３を介して読取開始指示が出される。次に、読取制御部１０１は、設定された読取条件２２２に従った設定で、載置された原稿等を読取部１６に読み取らせ、変換部１０２が、読み取った画像をデジタル化して画像データとし、送信制御部１０３を介して、選択された端末装置２へ送信する（ステップＳ２１２）。そして、送信が完了すると、読取制御部１０１は、表示部１４に画像データの送信が完了したことを表示させ（ステップＳ２１３）、処理を終了する。
【００５０】
次に、端末装置２側の処理について説明する。図１４は、本実施形態に係る画像読取システム１００における端末装置２の処理の流れを示すフローチャートである。
【００５１】
端末装置２における読取アプリケーションソフト２００の設定管理部２１０は、画像読取装置１から読取設定取得要求を受信したか否かを判定する（ステップＳ３０１）。ここで、読取設定取得要求を受信していなければ（ステップＳ３０１→Ｎｏ）、受信するまで待つ。一方、画像読取装置１から読取設定取得要求を受信した場合には（ステップＳ３０１→Ｙｅｓ）、次のステップＳ３０２へ進む。
【００５２】
ステップＳ３０２において、設定管理部２１０は、保存されている各読取設定２２０（２２０ａ，２２０ｂ，２２０ｃ）の読取設定名称２２１（２２１ａ，２２１ｂ，２２１ｃ）を取得して、読取設定名称一覧を生成し、読取設定取得要求を送信した画像読取装置１へ送信する。そして、設定管理部２１０は、読取条件取得要求を受信する待機状態に入る（ステップＳ３０３）。
【００５３】
次に、設定管理部２１０は、画像読取装置１からユーザにより選択された読取設定名称２２１に対応する読取条件（対応読取条件）２２２の取得要求（読取条件取得要求）を、受信したか否かを判定する（ステップＳ３０４）。ここで、読取条件取得要求を受信できなければ（ステップＳ３０４→Ｎｏ）、ステップＳ３０９に進み、設定管理部２１０は、端末表示部２４にエラーを表示させ、処理を終了する。
【００５４】
一方、読取条件取得要求を受信した場合には（ステップＳ３０４→Ｙｅｓ）、設定管理部２１０は、受信した読取条件取得要求に示される読取設定名称２２１に対応する読取条件２２２を取得し、読取条件取得要求を送信した画像読取装置１に送信する（ステップＳ３０５）。そして、この読取条件２２２を送信したことを契機として、読取アプリケーションソフト２００の画像処理部２３０が、画像データの受信待機状態に入る（ステップＳ３０６）。
【００５５】
次に、画像処理部２３０は、読取条件２２２を送信した画像読取装置１から、画像データを正常に受信したか否かを判定する（ステップＳ３０７）。ここで、画像データを正常に受信できなかった場合は（ステップＳ３０７→Ｎｏ）、画像処理部２３０は、端末表示部２４にエラーを表示して処理を終了する（ステップＳ３０９）。
【００５６】
一方、画像データを正常に受信できた場合には（ステップＳ３０７→Ｙｅｓ）、画像処理部２３０は、画像読取装置１から受信した画像データに、選択された読取設定２２０に対応する画像処理方法２２３で画像処理を実行し、記憶部２２に保存して（ステップＳ３０８）、処理を終える。
【００５７】
このようにすることで、本実施形態に係る画像読取システム１００は、画像読取装置１に読み取る原稿等を載置したまま端末装置２に移動する必要をなくすことができる。つまり、読取りを実行する度に、ユーザが端末装置２と画像読取装置１との間を往復する必要がなくなる。よって、画像読取装置１に読み取らせようとする原稿等を、常にユーザの管理下で扱うことが可能となる。また、本実施形態に係る画像読取システム１００によれば、望ましい読取設定２２０（読取条件２２２および画像処理方法２２３）を、簡易に選択可能とすることが可能となる。このことは、特に、複数のユーザが画像読取装置１を共用するような利用形態の場合、各ユーザが固有の読取設定２２０を簡易に選択し、保存できるため、利便性が高まる。
【００５８】
（本実施形態に係る画像読取システムの変形例）
次に、本実施形態に係る画像読取システム１００の変形例について説明する。本実施形態の変形例の構成は、本実施形態に係る画像読取システム１００の構成と同じである。ただし、画像読取装置１の読取制御部１０１は、読取条件２２２の設定を変更する機能と、ユーザにより変更された読取条件（変更読取条件）２２２を含む読取条件保存要求を端末装置２に送信する機能とをさらに備える。そして、端末装置２の設定管理部２１０は、受信した読取条件保存要求に基づき、読取条件２２２の設定内容を変更して保存する機能をさらに備えることを特徴とする。
【００５９】
図１５は、本実施形態の変形例に係る画像読取装置１の処理の流れを示すフローチャートである。図１０のステップＳ２０１〜ステップＳ２１０、およびステップＳ２１１〜ステップＳ２１４までの処理は、同じであるため、説明を省略する。
【００６０】
ステップＳ２０９で、画像読取装置１の読取制御部１０１が、読取条件２２２を受信した場合（ステップＳ２０９→Ｙｅｓ）、読取制御部１０１は、受信した読取条件２２２を図１３に例示するような画面で表示部１４に表示させる（ステップＳ２１０）。
【００６１】
次に、読取制御部１０１は、読取条件２２２を変更するか否かの選択画面を表示部１４に表示させ、ユーザにより、読取条件２２２を変更するか否かが選択される（ステップＳ４０１）。この選択は、例えば、読取条件２２２の表示画面の一部に、条件変更する／しないの釦を設け、ユーザにより、この条件変更する／しないの釦が押下されることにより、条件変更をするか否かが決定される。
【００６２】
ここで、ユーザにより、読取条件２２２の変更をしないことが選択された場合には（ステップＳ４０１→Ｎｏ）、次のステップＳ２１１において、ユーザによる読取開始指示が出される。
【００６３】
一方、読取条件２２２の変更が選択された場合には（ステップＳ４０１→Ｙｅｓ）、操作部１３を介してユーザにより、読取条件２２２が変更される（ステップＳ４０２）。
【００６４】
次に、読取制御部１０１は、図１６に例示するように、変更された読取条件（変更読取条件）２２２を端末装置２に保存するための保存釦（「読取条件を保存」）を表示部１４に表示し、ユーザにより保存釦が押下された場合には（ステップＳ４０３→Ｙｅｓ）、変更後の読取条件２２２を読取条件保存要求として端末装置２に送信して（ステップＳ４０４）、次のステップＳ２１１へ進む。一方、ユーザにより保存釦が押下されなかった場合には（ステップＳ４０３→Ｎｏ）、変更後の読取条件２２２を端末装置２に送信せずに、次のステップＳ２１１へ進む。これ以降は、図１０のステップＳ２１２およびステップＳ２１３と同様の処理を行い、画像読取処理を終了する。
【００６５】
次に、端末装置２側の処理について説明する。図１７は、本実施形態の変形例に係る端末装置２の処理の流れを示すフローチャートである。図１４のステップＳ３０１〜Ｓ３０５、およびステップＳ３０７〜Ｓ３０９の処理は、同じであるため、説明を省略する。
【００６６】
ステップＳ３０５において、設定管理部２１０が、受信した読取条件取得要求に示される読取設定名称２２１に対応する読取条件２２２を、画像読取装置１に送信すると、次に、設定管理部２１０は、読取条件保存要求を受信する待機状態に入り、また、画像処理部２３０は、画像データの受信待機状態に入る（ステップＳ５０１）。
【００６７】
次に、設定管理部２１０は、画像読取装置１から、読取条件保存要求か、または、画像データを受信したか否かを判定する（ステップＳ５０２）。ここで、読取条件保存要求を受信した場合には、受信した読取条件２２２の変更内容を、設定管理部２１０の該当する読取設定２２０に保存し（ステップＳ５０３）、ステップＳ５０１へ戻る。
【００６８】
一方、設定管理部２１０が、ステップＳ５０２において、画像データを受信したと判定した場合には、画像処理部２３０を起動させ、ステップＳ３０７において、画像処理部２３０が、画像データを正常に受信したか否かを判定して、ステップＳ３０８の処理へ進める。
【００６９】
このようにすることで、本実施形態に係る画像読取システム１００の変形例においては、画像読取装置１側で、読取条件２２２の設定を変更することができる。また、その変更した読取条件（変更読取条件）２２２を端末装置２へ送信し、設定内容を変更して読取条件２２２を保存することができる。よって、端末装置２に設定された読取条件２２２を、画像読取装置１側において変更し、原稿等の画像読取を実行することができる。つまり、読取条件２２２の変更のため、ユーザが画像読取装置１と端末装置２との間を往復する必要をなくすことができる。また、読取条件２２２を変更するために、再度端末装置２を操作することなく、変更した読取条件２２２を簡易に保存することが可能となる。
【００７０】
なお、本発明の実施形態においては、原稿等の読取りに関する設定（読取設定２２０）を、各端末装置２に保存して利用する形態として説明した。しかし、この読取設定２２０の保存先として１つのサーバ装置を設け、このサーバ装置に、各ユーザ毎の読取設定２２０を保存し、読取アプリケーションソフト２００を組み込むことで、画像読取装置１が読取条件２２２を取得する先を、このサーバ装置１つに限定することも可能である。
【００７１】
また、本実施形態に係る画像読取システム１００は、原稿等の読取設定２２０を端末装置２に保存して、画像読取装置１が原稿等を読み込んだ画像データを、端末装置２で画像処理して電子ファイルとして保存するものとした。しかし、この画像読取装置１が、例えば複写機能を併せ持つ装置であれば、複写機能の設定についても、各端末装置２に読取設定２２０と併せて保存し、利用可能とすることで、画像読取に関する機能以外についても利便性を高めることができる。
【符号の説明】
【００７２】
１      画像読取装置
２      端末装置
３      通信回線
１０，２０  ＣＰＵ
１１，２１  メモリ部
１２，２２  記憶部
１３    操作部
１４    表示部
１５    通信部
１６    読取部
１７    印刷部（画像形成部）
２３    端末操作部
２４    端末表示部
２５    端末通信部
１００  画像読取システム
１０１  読取制御部
１０２  変換部
１０３，２０３  送信制御部
１０４，２０４  受信制御部
２００  読取アプリケーションソフト
２０１  ＯＳ
２１０  設定管理部
２２０  読取設定
２２１  読取設定名称
２２２  読取条件
２２３  画像処理方法
２３０  画像処理部
【図１】
0005476200.tif 000002
【図２】
0005476200.tif 000003
【図３】
0005476200.tif 000004
【図４】
0005476200.tif 000005
【図５】
0005476200.tif 000006
【図６】
0005476200.tif 000007
【図７】
0005476200.tif 000008
【図８】
0005476200.tif 000009
【図９】
0005476200.tif 000010
【図１０】
0005476200.tif 000011
【図１１】
0005476200.tif 000012
【図１２】
0005476200.tif 000013
【図１３】
0005476200.tif 000014
【図１４】
0005476200.tif 000015
【図１５】
0005476200.tif 000016
【図１６】
0005476200.tif 000017
【図１７】
0005476200.tif 000018